(57)【要約】【課題】  公衆交換電話網接続支援のブィーオーアイピーターミナルの提供。【解決手段】  インターネットとＰＳＴＮに接続可能なＶｏＩＰターミナルであり、ユーザーの要求により、ユーザー側に停電或いはインターネットのシャットダウンが発生した時、選択スイッチによりＰＳＴＮ或いはインターネットに自動的に切り換えて電話接続を構築する。【選択図】        図４
2006211097.tif 000002
【特許請求の範囲】
【請求項１】
デジタル音声とネットワークデータパケットの変換を行なうインターネット信号モジュールと、
アナログ音声と該デジタル音声の変換を行なうデータ処理モジュールと、
接続ポートであり、インターネットとの通信に用いられるインターネットポートと、ＰＳＴＮとの通信に用いられるＦＸＯポートと、音声入力／出力装置との接続に用いられるＦＸＳポートとを包含する上記接続ポートと、
該処理ユニットと該接続ポートとの間に介在し、該ＦＸＯポートとデータ処理モジュールを接続する切り換えを行なう選択スイッチと、
電力供給情況下で、音声信号の通信経路を制御する処理ユニットと、
を具えたことを特徴とする、公衆交換電話網接続支援のブィーオーアイピーターミナル。
【請求項２】
請求項１記載の公衆交換電話網接続支援のブィーオーアイピーターミナルにおいて、データ処理モジュールが更に暗号化機能を具えたことを特徴とする、公衆交換電話網接続支援のブィーオーアイピーターミナル。
【請求項３】
請求項１記載の公衆交換電話網接続支援のブィーオーアイピーターミナルにおいて、インターネットがローカルエリアネットワークとされたことを特徴とする、公衆交換電話網接続支援のブィーオーアイピーターミナル。
【請求項４】
請求項１記載の公衆交換電話網接続支援のブィーオーアイピーターミナルにおいて、選択スイッチがアクティブ式スイッチとされたことを特徴とする、公衆交換電話網接続支援のブィーオーアイピーターミナル。
【請求項５】
請求項４記載の公衆交換電話網接続支援のブィーオーアイピーターミナルにおいて、アクティブ式スイッチが電力供給情況下でＦＸＳポートをデータ処理モジュールに接続し、更に処理ユニットの制御命令を受けて該ＦＸＳポートをＦＸＯポートに接続してＰＳＴＮ通話を行なわせることができ、また停電情況下でＦＸＳポートとＦＸＯポートを自動的に切り換えて接続することができることを特徴とする、公衆交換電話網接続支援のブィーオーアイピーターミナル。
【請求項６】
請求項１記載の公衆交換電話網接続支援のブィーオーアイピーターミナルにおいて、選択スイッチがパッシブ式スイッチとされたことを特徴とする、公衆交換電話網接続支援のブィーオーアイピーターミナル。
【請求項７】
請求項６記載の公衆交換電話網接続支援のブィーオーアイピーターミナルにおいて、パッシブ式スイッチが電力供給情況下でＦＸＳポートをデータ処理モジュールに接続し、停電情況下でＦＸＳポートとＦＸＯポートを自動接続することを特徴とする、公衆交換電話網接続支援のブィーオーアイピーターミナル。
【請求項８】
請求項６記載の公衆交換電話網接続支援のブィーオーアイピーターミナルにおいて、パッシブ式スイッチがリレーを包含することを特徴とする、公衆交換電話網接続支援のブィーオーアイピーターミナル。
【請求項９】
請求項１記載の公衆交換電話網接続支援のブィーオーアイピーターミナルにおいて、ターミナルにダイアルと音声信号の出力及び入力用のキーボード、スピーカ、及びマイクロホンがビルトインされたことを特徴とする、公衆交換電話網接続支援のブィーオーアイピーターミナル。
【請求項１０】
請求項１記載の公衆交換電話網接続支援のブィーオーアイピーターミナルにおいて、ターミナルが定時にインターネット通信環境の接続情況を検査してＶｏＩＰ或いはＰＳＴＮ通話のいずれを行なうかを選択することを特徴とする、公衆交換電話網接続支援のブィーオーアイピーターミナル。
【請求項１１】
請求項１記載の公衆交換電話網接続支援のブィーオーアイピーターミナルにおいて、ＦＸＳポートより緊急電話を入力した時、ターミナルがその他の呼び出しを無視して処理ユニットの命令により選択スイッチをＦＸＯポートに接続し、ＰＳＴＮ通話を行なうことを特徴とする、公衆交換電話網接続支援のブィーオーアイピーターミナル。
【請求項１２】
請求項１記載の公衆交換電話網接続支援のブィーオーアイピーターミナルにおいて、メモリモジュールが各モジュールの演算データを保存することを特徴とする、公衆交換電話網接続支援のブィーオーアイピーターミナル。
【発明の詳細な説明】
【技術分野】
【０００１】
本発明は一種のＶｏＩＰ（ブィーオーアイピー；Ｖｏｉｃｅ  ｏｖｅｒ  ＩＰ）ターミナルに係り、特に、ＰＳＴＮ（公衆交換電話網）切り換え通信機能を具えたＶｏＩＰターミナルに関する。
【背景技術】
【０００２】
ＶｏＩＰの勃興発展に伴い、近年、ますます多くのＩＰ電話サービスのアプリケーションが発生した。図１と図２は二種類の周知のＩＰ電話サービスの構造図である。図１では、通話する双方がインターネットを通して接続され、最もよく見られるのは、２台のコンピュータ間での電話通話である。例えばコンピュータにインストールされた通話ソフト、マイクロホン等の設備により、音声信号をネットワークパケットに変換して相手方に送り、ネットワーク通話を行なう。図２はブロードバンド電話のシステム構造を示し、則ち一般の市内電話がインターネットに接続され、インターネットをと押して音声データが相手方に送られる。ユーザーＡのターミナル（例えばブロードバンド電話）はモデム装置を包含し、まず、ＰＳＴＮを通してインターネットサービスプロバイダ（ＩＳＰ）にダイアルし、インターネットに接続し、さらにユーザーＢ或いはユーザーＣに接続する。そのうち、ユーザーＢは一台のコンピュータとされ、ユーザーＣはユーザーＡと同じ電話ターミナルとされるか、或いは普通の室内電話とされる。
【０００３】
伝統的な電話交換ネットワークの電信サービスと比較すると、インターネットを通した音声電信サービスの費用は安く、商業上、極めて大きな魅力を有している。しかし、伝統的な電話はある方面では尚も優勢であり、完全にはインターネット電話サービスにより取って代わられることはない。
【０００４】
伝統的な電話は共電式システムであり、ユーザー側は電源に外接することなく電力をターミナル（電話等）に供給でき、それは電信マシンルームより提供される。インターネット音声電信サービスを使用する時、ユーザー側はネットワークとの接続のために電源をモデムのような設備に供給しなければならず、これによりユーザー側に停電情況が発生する時、運転不能となる。このほか、回路交換ネットワークシステムの各電信接続はいずれも独占方式とされ、一旦接続完成すると、通話者の間が１本の単一の実体電話回路を占用し、直接通話双方間に１本の接続線を引いたのと同様となる。インターネットを通して構築される接続は、各ネットワークリンクが同時に異なる通信者、異なる通信サービスにより共有可能で、そのうち一段のリンクが混雑する時にだけ、通話が切断されがちとなり、音声遅延の問題が発生する。このほか、伝統的な電話ネットワークはインターネットに較べて普及しており、これらいずれも伝統的な電話の具備する優れた点であり、これに対してインターネット電信サービスの弱点でもある。
【０００５】
もしユーザーの通信環境がインターネットとＰＳＴＮに共に接続可能であり、好ましくは一つのターミナルが同時に二種類の電信ネットワークに接続可能であれば、異なる情況に応じて選択的にインターネット或いはＰＳＴＮに切り換えて電話通信を行なうことができる。
【発明の開示】
【発明が解決しようとする課題】
【０００６】
本発明はインターネットとＰＳＴＮに選択的に接続可能なＶｏＩＰターミナルを提供する。本発明が提供するターミナルにはその予設の通話モードを設定可能であり、その正常通話時にインターネットを通して電信サービスを実行させて通話費用を低減することができる。もしユーザーの特別の要求があれば、ＰＳＴＮに切り換えて通話を行なうことができる。クライアント側に停電或いはその他の特殊情況がある時、本発明に記載のターミナルは自動的にＰＳＴＮ或いはインターネットに自動的に切り換えて接続する。
【０００７】
本発明の提出する上述の機能を具えたＶｏＩＰターミナルは、以下の装置を包含する。則ち、その他の各装置の作動を制御する処理ユニット、音声信号をネットワークデータパケットに変換するインターネット信号モジュール、アナログ／デジタル音声の変換を行なうデータ処理モジュール、上述の各装置の演算のデータを暫時保存するメモリモジュール、電信ネットワークを切り換えて通話を行なうための選択スイッチ、少なくとも三つの接続ポートを具えてクライアント側から遠方の電話マシンルーム或いはインターネットに接続して通話を行なわせる接続ポートモジュール、を具えている。
【課題を解決するための手段】
【０００８】
請求項１の発明は、デジタル音声とネットワークデータパケットの変換を行なうインターネット信号モジュールと、
アナログ音声と該デジタル音声の変換を行なうデータ処理モジュールと、
接続ポートであり、インターネットとの通信に用いられるインターネットポートと、ＰＳＴＮとの通信に用いられるＦＸＯポートと、音声入力／出力装置との接続に用いられるＦＸＳポートとを包含する上記接続ポートと、
該処理ユニットと該接続ポートとの間に介在し、該ＦＸＯポートとデータ処理モジュールを接続する切り換えを行なう選択スイッチと、
電力供給情況下で、音声信号の通信経路を制御する処理ユニットと、
を具えたことを特徴とする、公衆交換電話網接続支援のブィーオーアイピーターミナルとしている。
請求項２の発明は、請求項１記載の公衆交換電話網接続支援のブィーオーアイピーターミナルにおいて、データ処理モジュールが更に暗号化機能を具えたことを特徴とする、公衆交換電話網接続支援のブィーオーアイピーターミナルとしている。
請求項３の発明は、請求項１記載の公衆交換電話網接続支援のブィーオーアイピーターミナルにおいて、インターネットがローカルエリアネットワークとされたことを特徴とする、公衆交換電話網接続支援のブィーオーアイピーターミナルとしている。
請求項４の発明は、請求項１記載の公衆交換電話網接続支援のブィーオーアイピーターミナルにおいて、選択スイッチがアクティブ式スイッチとされたことを特徴とする、公衆交換電話網接続支援のブィーオーアイピーターミナルとしている。
請求項５の発明は、請求項４記載の公衆交換電話網接続支援のブィーオーアイピーターミナルにおいて、アクティブ式スイッチが電力供給情況下でＦＸＳポートをデータ処理モジュールに接続し、更に処理ユニットの制御命令を受けて該ＦＸＳポートをＦＸＯポートに接続してＰＳＴＮ通話を行なわせることができ、また停電情況下でＦＸＳポートとＦＸＯポートを自動的に切り換えて接続することができることを特徴とする、公衆交換電話網接続支援のブィーオーアイピーターミナルとしている。
請求項６の発明は、請求項１記載の公衆交換電話網接続支援のブィーオーアイピーターミナルにおいて、選択スイッチがパッシブ式スイッチとされたことを特徴とする、公衆交換電話網接続支援のブィーオーアイピーターミナルとしている。
請求項７の発明は、請求項６記載の公衆交換電話網接続支援のブィーオーアイピーターミナルにおいて、パッシブ式スイッチが電力供給情況下でＦＸＳポートをデータ処理モジュールに接続し、停電情況下でＦＸＳポートとＦＸＯポートを自動接続することを特徴とする、公衆交換電話網接続支援のブィーオーアイピーターミナルとしている。
請求項８の発明は、請求項６記載の公衆交換電話網接続支援のブィーオーアイピーターミナルにおいて、パッシブ式スイッチがリレーを包含することを特徴とする、公衆交換電話網接続支援のブィーオーアイピーターミナルとしている。
請求項９の発明は、請求項１記載の公衆交換電話網接続支援のブィーオーアイピーターミナルにおいて、ターミナルにダイアルと音声信号の出力及び入力用のキーボード、スピーカ、及びマイクロホンがビルトインされたことを特徴とする、公衆交換電話網接続支援のブィーオーアイピーターミナルとしている。
請求項１０の発明は、請求項１記載の公衆交換電話網接続支援のブィーオーアイピーターミナルにおいて、ターミナルが定時にインターネット通信環境の接続情況を検査してＶｏＩＰ或いはＰＳＴＮ通話のいずれを行なうかを選択することを特徴とする、公衆交換電話網接続支援のブィーオーアイピーターミナルとしている。
請求項１１の発明は、請求項１記載の公衆交換電話網接続支援のブィーオーアイピーターミナルにおいて、ＦＸＳポートより緊急電話を入力した時、ターミナルがその他の呼び出しを無視して処理ユニットの命令により選択スイッチをＦＸＯポートに接続し、ＰＳＴＮ通話を行なうことを特徴とする、公衆交換電話網接続支援のブィーオーアイピーターミナルとしている。
請求項１２の発明は、請求項１記載の公衆交換電話網接続支援のブィーオーアイピーターミナルにおいて、メモリモジュールが各モジュールの演算データを保存することを特徴とする、公衆交換電話網接続支援のブィーオーアイピーターミナルとしている。
【発明の効果】
【０００９】
本発明は公衆交換電話網接続支援のブィーオーアイピーターミナルを提供し、それはコストと通信品質等を考慮して、同一の電話機で選択的にＰＳＴＮ或いはインターネットを通して通話が行なえるようにする装置である。また、本発明は停電やインターネット接続の問題が発生した時、及び緊急電話ダイアル時の関係処理を考慮し、本装置がほとんどの情況下で最良の通話が行なえるものとされ、新規性と進歩性を有している。
【発明を実施するための最良の形態】
【００１０】
本発明の実施方式は以下に詳しく説明されるが、それ以外にも本発明は広く他の実施例で施行可能であり、且つ本発明の範囲は以下の実施例により限定されるものではない。
【００１１】
図３は本発明に記載のＶｏＩＰターミナルを用いる通信システム構造図である。ターミナル２００はインターネット２０とＰＳＴＮ２４のいずれにも接続可能であり、インターネット２０に接続された電話装置２１０、或いはＰＳＴＮ２４の電話装置２２０にダイアル可能である。まず強調すべきことは、説明に便利なように、本明細書中では携帯電話システムを考慮していない。携帯電話はモバイルネットワーク（例えばＧＳＭのモバイル通信ネットワーク）を通してＰＳＴＮ上の電話装置或いはその他の携帯電話装置２００に接続され、これにより携帯電話の室内の電話装置２２０の一つと見なされ得る。このほか、ターミナル２００は更に電話装置２３０に接続されて音声の入力出力を行なうか、或いはマイクロホン或いはスピーカがビルトインされて、直接ターミナル２００上で音声の入力と出力が行なえるものとされる。
【００１２】
図４は本発明の提出するＶｏＩＰターミナルの詳細な設備ブロック図である。それは、処理ユニット３０、インターネット信号モジュール３２、データ処理モジュール３４、メモリモジュール３６、及び接続ポートモジュール３８を具えている。そのうち、メモリモジュール３６はその他の各ユニットの演算時のデータ暫時保存に供され、フラッシュメモリ、ＳＲＡＭ等のメモリ装置で組成される。その他の各モジュールの機能は以下に説明するとおりである。
【００１３】
ＶｏＩＰターミナルは接続ポートモジュール３８を通して異なる電信設備と電信ネットワークに接続され、三つの接続ポートを具え、そのうちＦＸＯ（Ｆｏｒｅｉｇｎ  Ｅｘｃｈａｎｇｅ  Ｏｆｆｉｃｅ）ポート３８２は、遠方ＰＳＴＮに接続するための電信マシンルームとされる。インターネット接続ポート３８４はローカルエリアネットワークに接続される。ＦＸＳ（Ｆｏｒｅｉｇｎ  Ｅｘｃｈａｎｇｅ  Ｓｕｂｓｃｒｉｂｅｒ）ポート３８６は現地クライアント側の電話装置、通常市内電話機に接続される。このほか、ＦＸＯポート３８２、ＦＸＳポート３８６の接続には一般電話のデュアルツイストペアケーブルが使用され、インターネット接続ポートはイーサネット（登録商標）ケーブルでローカルエリアネットワークに接続される。
【００１４】
設備の運転上、一般の情況下では本発明のＶｏＩＰターミナルはインターネットを通して遠方の別の電話装置にダイアルするよう設定され、則ち優先的に通話費用が安いネットワーク音声サービスよりダイアルするよう設定されている。これはいわゆるＶｏＩＰモードと称される。反対に、現在ダイアルがＰＳＴＮを優先とする時は、ＰＳＴＮモードと称される。異なる情況下で、ＶｏＩＰターミナルは異なるモードで待機し、いつその待機モードを切り換えるかについては後で詳しく説明する。
【００１５】
処理ユニット３０はインターネット信号モジュール３２、データ処理モジュール３４とＦＸＯポート３８２に接続され、該処理ユニット３０は各モジュールの作動を制御してＦＸＳポート３８６の電話をインターネット或いはＰＳＴＮのいずれに接続するかを決定する。通話構築時に、該処理ユニット３０は異なる情況、異なる電話番号（後で述べる）に基づき、ＦＸＳポート３８６に電話音声信号を入力しインターネット或いはＰＳＴＮのいずれかを選択してそれを通して遠方との通話を可能とする。遠方から電話がかかると、ＦＸＯポート３８２或いはインターネットポート３８４からのＰＳＴＮ／ＶｏＩＰ呼び出しはいずれも処理ユニット３０に入力され、処理ユニット３０によりこの電話を受けるか否かが判断され、ＶｏＩＰターミナルが制御されてＰＳＴＮ或いはインターネットを通して通話が行なわれる。処理ユニット３０はＦＸＯポート３８２に接続されてＰＳＴＮの呼び出しを受け、接続構築後には、直接データ処理モジュール３４、ＦＸＯポート３８２とＦＸＳポート３８６を通して通話を行なえる。異なる情況下での通話に対しては、その中間の演算判断はいずれも処理ユニット３０が処理を請け負い、並びに制御信号を発送してその他の装置の運転を制御し、その作用はコンピュータのＣＰＵの如しである。
【００１６】
データ処理モジュール３４中にはクライアント側インタフェース回路（ＳＬＩＣ）、データアクセス機器（ＤＡＡ）、及びエンコードデコード回路（ＣＯＤＥＣ）等の装置（図示せず）が包含されて、アナログ／デジタル音声信号の変換及びＰＳＴＮの電話信号の形成を請け負い、ＦＸＳポート３８６より進入したアナログ電話信号をデジタル信号に変換するか、或いは処理ユニット３０が入力したデジタル信号をアナログ音声に還元し並びにＰＳＴＮ電話信号を形成する。上述の機能のほか、データ処理モジュール３４は更に暗号化回路を具え、ＶｏＩＰの通話に対して暗号化保護を提供する。その他の例えば、増幅、雑音除去等の音声信号の処理機能はいずれも選択的にデータ処理モジュール３４中に加えられる。
【００１７】
インターネット信号モジュール３２と接続ポートモジュール３８のインターネットポート３８４、及び処理ユニット３０は相互に接続される。ＶｏＩＰターミナルがインターネットを通して通話を行なう時、ＦＸＳポート３８６より入力されるアナログ音声信号はデータ処理モジュール３４によりアナログ音声がデジタル音声信号に変換されるほか、更にインターネット信号モジュール３２によりエンコードされてネットワークで伝送可能なデータパケット形式とされ、更にインターネットポート３８４を通してインターネットに接続される。インターネットを通して送られて来るネットワークデータパケットもまたインターネット信号モジュール３２によりデジタル音声信号に還元され、更にデータ処理モジュール３４によるデジタル／アナログ音声変換後に現地側の電話装置に出力される。その機能はコンピュータシステム中のネットワークカードの如しである。一般に、インターネット信号モジュール３２がイーサネット（登録商標）を支援するネットワーク環境にあっては、その他のネットワーク環境を支援するよう拡充可能であり、本発明はこれに対して制限を行なわない。
【００１８】
本発明の特徴の一つは、ユーザーが自由にインターネット電話或いはＰＳＴＮ電話にダイアルするか、或いは異なる情況によりＰＳＴＮ或いはインターネットを選択して接続でき、それは選択スイッチ３７により切り換えられる。本実施例では、一般の情況下で選択スイッチ３７は第１位置にあり、インターネットポート３８４へのダイアルを選択する。使用者がＰＳＴＮ電話にダイアルすることを決定するか、或いは特殊情況、例えば停電、ネットワーク接続中断等の情況が発生する時、選択スイッチ３７は電話接続を第２位置に切り換える。選択スイッチ３７はパッシブスイッチ装置、例えばリレーとされ、電源の正常な供給下でＦＸＳポート３８６をデータ処理モジュール３４に接続させ、インターネットを通して電話接続を構築する。上述の特殊情況が発生する時、選択スイッチ３７（リレー）は自動的に作動して第２位置に至りＦＸＯポート３８２に接続されるか、或いは処理ユニット３０の制御により第２位置に切り換えられ、ＰＳＴＮ電話接続を構築する。
【００１９】
ここで説明すべきことは、好ましい実施例にあって、電源供給が正常な情況にあって、選択スイッチ３７は第１位置に位置し、ＰＳＴＮ通話を実行したい時は、ＦＸＯポート３８２の電話信号はデータ処理モジュール３４に入力され、ＦＸＳポート３８６を介して現地側電話に接続される。同様に、遠方の電話に掛けるときは、反対方向に、ただし同じ経路により、ＦＸＯポート３８２いを通りＰＳＴＮに接続される。停電時のＰＳＴＮ通話は選択スイッチ３７により第２位置に切り換えられ、直接ＦＸＳポート３８６側の電話装置がＦＸＯポート３８２外のＰＳＴＮに接続され、正常運転時の処理方式と同じとなる。当然、毎回ＰＳＴＮ通話時に選択スイッチ３７を第２位置に切り換える方式を採用可能で、このとき、選択スイッチ３７はアクティブスイッチ装置とされ、処理ユニット３０の制御命令を受けて位置の切り換えを行なえるようにする必要があり、その装置は単純なリレーより複雑となる。
【００２０】
以上から分かるように、本発明はライフライン（ｌｉｆｅ  Ｌｉｎｅ）支援の機能を具備し、装置停電時に現地側電源を必要としないＰＳＴＮモードに切り換えることができる。図５は待機モードの時に、停電情況に遇った時の処理フローを示す。まず、ＶｏＩＰモード下で待機する（ステップ４００）。ＶｏＩＰターミナルが停電する時（ステップ４０２）、図４の選択スイッチ３７が自動的に作動してＦＸＯポート３８２に接続されてＰＳＴＮモードに進入し（ステップ４０４）、そうでなければＶｏＩＰモードでの待機を保持する。ＰＳＴＮモードで待機している時、電力が回復すれば選択スイッチ３７は第１位置に戻りＶｏＩＰモードを回復し、そうでなればＰＳＴＮモードを保持する（図４０６）。図６は通話中に停電に遇った時の処理フローを示す。待機状態と同様に、停電時に進行中のＶｏＩＰ通話が停電により終了し並びに選択スイッチ３７が第２位置に切り換わる（ステップ４２４）。このとき、ＦＸＳポート３８６側の電話装置が未だ電話を切断していなければ、ダイアル音を発生してダイアルする（ステップ４２８）。もし電話を切っていれば、ＶｏＩＰターミナルはＰＳＴＮモードに戻り待機し（ステップ４２６）、ユーザーが電話番号を入力するのを待つ。電力が回復した時、装置は更に予め設定されたＶｏＩＰ通話モードに切り換わる。もしＶｏＩＰ通話過程中に停電に遇わなければ、ＶｏＩＰ通話を通話終了まで続ける。
【００２１】
上述の停電時のＰＳＴＮ通話への切り換えは一種のパッシブ式運転であるが、停電情況下で選択スイッチ３７が自動的に第２位置に切り換えられてＦＸＯポート３８２に接続されるほか（例えば、リレーの自動動作）、本発明はまた、ネットワーク接続情況不良の時にＰＳＴＮモードに切り換えて接続、通話を行なうよう設定することが可能である。このとき、処理ユニット３０は異なる情況に基づき対応する処理フローを実行し、それは一種のアクティブ式運転である。図７に示されるように、待機状態（ステップ５００）の時、所定時間毎にネットワーク接続の品質を検査し（ステップ５０２）、接続状態がひどく悪いか或いはインターネットが切断状態にあることを検出すると、処理ユニット３０はＰＳＴＮモードの待機に切り換え（ステップ５０４）、この時、電話を掛けるなら、ＰＳＴＮを通して通話を行なうことを選択する。ある時間が経ってＶｏＩＰターミナルがネットワーク接続が正常状態に回復したことを検出すると（ステッ５０６）、更にＶｏＩＰ通話モードに切り換える。もしインターネット接続が正常に回復していなければ、ネットワーク接続情況が良好になったことを検出してからＶｏＩＰモードを回復して待機する。
【００２２】
このほか、本発明は高い優先権、或いは緊急電話例えば１１９、１１０の通話に対してもその処理フローを有し、これによりこのような特殊通話を確実に完成させる。図８を参照されたい。装置の開始ではＶｏＩＰ通話モード下で待機する（ステップ６００）。現地側電話装置が電話番号を入力する（ステップ６０２）時、ＶｏＩＰターミナルがダイアル番号が緊急電話例えば１１９、１１０の番号であれば、処理ユニット３０が高い優先権或いは緊急電話であるかを判断する（ステップ６０４）。もし高い優先権或いは緊急電話であれば、もとのＶｏＩＰモードからＰＳＴＮモードに切り換え並びにダイアルしＰＳＴＮを通して通話する（ステップ６０６）。もし高い優先権或いは緊急電話でなければ、ＶｏＩＰ通話を保持し（ステップ６０５）、通話終了後にもＶｏＩＰモードで待機する。ＰＳＴＮ通話中に、この通話が完成する前は、処理ユニット３０はその他のＰＳＴＮ或いはインターネットからの電話を無視し、これにより通話が呼び出し、或いはネットワーク状態不良、停電の影響により中断されるのを防止する。ゆえにもしこのとき、呼び出しがあれば（ステップ６０８）、通話が終了する（ステップ６１２）まで呼び出しを拒絶する（ステップ６１０）。通話が終了後、更にもとのＶｏＩＰモードに自動的に切り換えて待機する。
【図面の簡単な説明】
【００２３】
【図１】周知のインターネット電話サービスの構造図である。
【図２】周知のブロードバンド電話サービスの構造図である。
【図３】本発明のＶｏＩＰターミナルを用いる通信システム構造図である。
【図４】本発明のＶｏＩＰターミナルの詳細な設備ブロック図である。
【図５】本発明の待機モードの時に、停電情況に遇った時の処理フローを示す。
【図６】本発明の通話中に停電に遇った時の処理フローを示す。
【図７】本発明の処理ユニットのインターネット接続情況不良時の処理フローチャートである。
【図８】本発明の緊急電話の処理フローチャートである。
【符号の説明】
【００２４】
２００  ターミナル
２１０、２２０、２３０  電話装置
３０  処理ユニット
３２  インターネット信号モジュール
３４  データ処理モジュール
３６  メモリモジュール
３７  選択スイッチ
３８  接続ポートモジュール
３８２  ＦＸＯポート
３８４  インターネットポート
３８６  ＦＸＳポート
【図１】
2006211097.tif 000003
【図２】
2006211097.tif 000004
【図３】
2006211097.tif 000005
【図４】
2006211097.tif 000006
【図５】
2006211097.tif 000007
【図６】
2006211097.tif 000008
【図７】
2006211097.tif 000009
【図８】
2006211097.tif 000010